(57)【要約】【課題】地雷の爆破処理を安全で早く、見落とすことなく確実大量に処理し、簡易な装置及び車両で、そのメンテナンス及び操作が容易で、装置及び処理などトータルコストも安く、爆破処理と土地改良が同時進行で出来ること。【解決手段】軟質変形可能な袋状の収納体に小石などの錘部材を内有させ、その収納体の先部を爆破ドームの下端より突出させた地雷爆破装置、または噴射部を爆破ドーム内の所定位置に設けると共に水、砂及び小石等の貯蔵部と水又は空気又はその両方の混合体の噴射装置を爆破ドーム外に設けている地雷爆破装置と爆破ドームの下端より所定量突出する地面掘削装置を地雷処理装置の筒状の爆破ドームに内設し、該地雷処理装置をショベルローダーの持上げ装置で支持すると共に該持上げ装置で上下動及びショベルローダーの前進移動で未処理地雷を爆破処理と土地改良を同時に行う。【選択図】      図１
2004212028.tif 000002
【特許請求の範囲】
【請求項１】
筒状の爆破ドーム内に少なくとも地雷爆破部を有する地雷爆破装置を所定位置に内設する地雷処理装置を、ショベルローダーなどの小型特殊車両の持上げ装置で支持すると共に該持上げ装置で上下動及び小型特殊車両の前進移動で未処理地雷を爆破処理し、若しくは該地雷処理装置と爆破ドームの下端より所定量突出するように内設される地面掘削装置で、前記爆破処理と土地改良を同時進行で行うことを特徴とした小型特殊車両利用の地雷処理装置兼土地改良装置。
【請求項２】
請求項１の地雷爆破装置は、軟質変形可能で爆破に耐える袋状の収納体内に小石などの錘部材を吊設状に内有させ、該地雷爆破装置の先部を爆破ドームの下端より突出させて設けたことを特徴とする地雷処理装置。
【請求項３】
請求項１の地雷爆破装置は、水又は圧縮空気で砂、小石等の混合物を爆破ドーム内で地面に向け噴射させることで地雷を爆破できるように、噴射部を爆破ドーム内の所定位置に設けると共に水、砂及び小石等の貯蔵部と水又は空気又はその両方の混合体の噴射装置を爆破ドーム外に設けたことを特徴とする地雷処理装置。
【発明の詳細な説明】
【０００１】
【発明の属する技術分野】
本発明は、市販のショベルローダーなどの小型特殊車両で地雷処理装置及び土地改良装置を支持させて爆破処理と土地改良を同時進行で処理するものに関する。
【０００２】
【従来の技術】
【特許文献１】
従来、多くの地雷処理装置が提供され、例えば「特開２０００−２０５７９１号公報」の地雷処理機のように、地雷処理専用の自走式車両として該車両を設計し、該車両に爆破処理するブームの先端に重量物４を設け、その重量物４を地面Ｇに落下させて爆破処理するものが示されている。
【０００３】
【特許文献２】
また、「特開２００１−７４３９８号公報」の地雷処理兼農地改良装置のように、バックホウ等無限軌道車のショベル機を使用して該ショベル機に設けられるアームの先端にロータリーカッタ９を取り付け、地雷の爆破及び農地改良を行うとするものが示されている。
【０００４】
【特許文献３】
さらに、「特開平７−７１８９８号公報」の無限軌道車のように、ブルドーザなどの無限軌道車を使用して該前方に切削兼破砕工具８が設られたフライスドラム５により地雷を処理するものが示されている。
【０００５】
上記のように従来、多く出願されている自走車両を利用する地雷処理装置は、爆破処理専用に設計された車両と、またバックホウなど土木建築などに用いられる重機車両をベースに利用し、これら車両の前部に地雷処理装置を設ける、とするものが上記文献以外にも多く出願され、この専用、重機車両は、非常に高価で、また現地まで特別な専用車両による輸送と専門的な操縦技術が必要である。
【０００６】
加えて、現状行われている地雷処理は、金属探知器などで地雷を一つ一つ探り人手により掘り出す作業で、危険を冒しながら処理されており、また他の処理法として無線操縦によるロボット形式のものが提案と開発されつつ有り、さらに、日本で実践的に自衛隊が所有する戦車の前方に取り付けたローラーにより爆破処理するもの、地雷処理専用の自走式車両の前部で、回転ローラの周面にチェンを取り付け、それを回転させて該チェーンで打撃爆破させる爆破装置を設けた専用車両などが、配備されている。
【０００７】
【発明が解決しようとする課題】
現在、地雷が埋設されている国が約７２カ国で、地雷総数が１９９８年のアメリカ国防省の報告書「Ｈｉｄｄｅｎ  Ｋｉｌｌｅｒｓ」によると６０００万から７０００万個とされ、その約７２カ国のほとんどが後進国で、経済的にも教育的にも恵まれていない地域が占め、早期の地雷廃絶が世界的に求められている。
【０００８】
上記のような現状の中、人が手持ちで探知機などで地雷を探し出して処理する方法で処理され、該探知処理する時、爆発する危険を冒しながらの除去作業となっており、これは早期処理という緊急性と処理コストを最優先した結果で、地雷処理者の安全性が後回しにされ、この安全性と早期処理と処理コストの問題が今もっとも大きな問題で、また新たな処理技術の開発の急がれる処である。
【０００９】
また、上記探知機での処理は、広範囲にばらまかれた膨大な数の地雷を危険と隣合わせで一つ一つ手作業で探出し、地雷を掘出し又はその場で爆破する作業で、またその探知機の反応が必ずしも地雷とは限らず、単なる金属片又は鉄分を含んだ土地にも反応し、処理が進まず、さらにその処理中に負傷者及び爆死者が絶えず、処理の多さと、新たに埋設され続ける地雷の多さに処理が追いつかず、地雷の被害者が未だに増え続け、年間２６千人もの人が死傷しているのが現状でる。
【０００７】
そして、専用の自走式車両を設計、製造した処理装置で、直接地面を叩くなど無差別に地雷を爆破処理する上記
【特許文献１】の地雷処理機は、地雷処理専用の自走式車両として設計、製造しなければならず、専用車両の製造コスト及び開発、製造の期間の問題が大きく、早期に対応できず現実的ではなかった。
【０００８】
さらに、土木建築などで多く利用されている重機車両を利用する上記
【特許文献２】の「特開２００１−７４３９８号公報」の地雷処理兼農地改良装置のバックホウ等無限軌道車のショベル機を使用し、また
【特許文献３】の「特開平７−７１８９８号公報」のブルドーザなどの無限軌道車を使用しているものは、新たに設計製造する必要はないが、車両が非常に高価で、輸送にも輸送専用の大型車両が必要で、現地まで一台の輸送に専用車両一台が必要となりトータルコストが非常に高く、また無限軌道車の運転操作に熟練を要し、技術習熟度の観点から見ると、現地の教育状況では不十分で、技術者の養成から始める事では緊急性に対応できず、また広範囲で膨大な量の地雷処理を行うには、出来るだけ多くの処理車両の投入が必要で、よって安く簡易な車両で、また現地の人でも容易に操縦でき、数の力で安全に地雷処理が出来る事が望まれる。
【０００９】
さらにまた、地雷処理と農地改良を同一装置でする、上記
【特許文献２】の「特開２００１−７４３９８号公報」の地雷処理兼農地改良装置は、使用する無限軌道車などの重車両そのものが上述した通りコストが非常に高く、また現地作業者の技術習熟度などの問題もあり、さらにその処理作業も地雷処理と農地改良をそれぞれ別作業で行い、効率が悪かった。
【００１０】
加えて、地雷処理に於いて、現地の技術習熟度、経済力及び各国からの援助金も考慮すると、処理装置が単純な装置で、操作、メンテナンス及び地雷処理により発生する装置の消耗品と装置及びトータルコストの低減が求められ、またその処理作業も安全に、且つ埋設地雷を見落とすことなく確実に早く、大量に処理できるものが待たれるが、各国の援助に対する考え方など国際情勢と絡み、なかなか進まないのが現状である。
【００１０】
また加えて、その地雷処理後、現地の復興と経済力を高める事も課題で、特に地雷埋設地帯は、土地の荒廃が進み、市街地以外では農地又は植林地としての利用が望まれ、またその地雷処理車両が地雷処理後、他の用途に転用できるなど、地雷処理から処理後まで全体として捉えるシステムが提案されてなかった。
【００１１】
【課題を解決するための手段】
本発明は、上記の課題を解決するため、第一に筒状の爆破ドーム内に少なくとも地雷爆破部を有する地雷爆破装置を所定位置に内設する地雷処理装置をショベルローダーなどの小型特殊車両の持上げ装置で支持すると共に該持上げ装置で上下動及び小型特殊車両の前進移動で未処理地雷を爆破処理し、若しくは該地雷処理装置と爆破ドームの下端より所定量突出するように内設される地面掘削装置で、爆破処理と土地改良を同時進行で行うことで、
地雷の爆破処理を安全に連続して処理するので処理スピードが速く、使用する車両が比較的安価なショベルローダーなどの小型特殊車両で運転操作も車並みに簡単で、その特性上非常に小回りが利き、地雷処理装置は市街地などで爆破処理した時も周囲に被害をおよぼさず、簡易な構造でメンテナンスも容易で消耗品も少なくコストが掛らず、市街地と農地又は植林地と適宜状況に合わせて爆破処理と、地面掘削装置により農地又は植林地の土地改良も同時に行える。
【００１２】
また、第二の地雷爆破装置は、軟質変形可能な袋状の収納体内に小石などの錘部材を吊設状に内有させ、該地雷爆破装置の先部を爆破ドームの下端より突出させているので、
地雷処理により発生する装置の消耗品が、小石など現地で調達できる物を使用するのでコストが掛らず、また小石などの錘部材を使用しているので、爆発時の上昇圧力が分散され、地雷爆破装置への影響が軽減できる。
【００１３】
さらに、第三の地雷爆破装置は、水又は圧縮空気で砂、小石等の混合物を爆破ドーム内で地面に噴射させることで地雷を爆破できるように、噴射部を爆破ドーム内の所定位置に設けると共に水、砂及び小石等の貯蔵部と水又は空気又はその両方の混合体の噴射装置を爆破ドーム外に設けているので、
地雷処理により発生する装置の消耗品が水、空気、砂、小石等で現場で調達できコストが掛からず、爆破処理の直接的影響が地雷爆破装置におよばず、全体のコストが比較的低く抑えられる。
【００１４】
【発明の実施の形態】
本発明の特殊車両利用の地雷処理兼土地改良装置は、地雷処理装置の爆破ドームに内設した地雷爆破装置と該爆破ドームより腰部を突出させて設けた地面掘削装置を、掘削、道路の雪かきなどで一般的に多く使用されている小型ショベルローダーなどの小型特殊車両の持上げ装置で支持すると共に該持上げ装置で上下動及び小型特殊車両の前進移動で地雷爆破と地面掘削による耕作を行う。
【００１５】
また、地雷処理装置の爆破ドームに於いて、該爆破ドーム内の略中間より上部側に金網及び支持棒により保持される小石などの緩衝部材を有する防音衝撃緩衝部とその下部側に地雷爆破装置を設け、また処理現場の用途によりくさび状に形成された地面掘削装置を内設する。
【００１６】
また第二の発明の地雷処理装置は、袋状のワイヤーなどの金網の収納体内に小石などの錘部材を吊設状に内設し、該地雷爆破装置の腰部を爆破ドームの下端より突出させ、ショベルローダーの持上げ装置で、該地雷処理装置の爆破ドームを上下動及び前進移動することで地雷爆破処理を行う。
【００１７】
また第三の発明の地雷処理装置は、水又は圧縮空気で砂、小石等の混合物を爆破ドーム内で地面に向け噴射させることで地雷を爆破できるように、噴射部を爆破ドーム内の所定位置に設けると共に水、砂及び小石等の貯蔵部と水又は空気又はその両方の混合体の噴射装置を爆破ドーム外に設けている。
【００１８】
【実施例】
本発明の実施例を図面に基づいて説明すると、図１及び図２に於て、１は地雷処理装置で、該地雷処理装置１は、後述する小型特殊車両のショベルローダー２の図３に示すタイヤ３，３間の幅より広く平面略小判形の筒状に形成され、該地雷処理装置１の上部側を衝撃緩衝ドーム４、下部側を爆破ドーム５として上下分割可能にボルトなどで固着し、該爆破ドーム５の下部側に地雷爆破装置６及び地面掘削装置７と上部側に防音衝撃緩衝部８を内設している。
【００１９】
そこで地雷処理装置１の上側の衝撃緩衝ドーム４は、鋼板で飛散防止板９ａ、９ｂ、９ｃ、９ｄを内設し、図１、図２及び図３に示すように、衝撃緩衝ドーム４の最下部の左右端に飛散防止板９ａ、９ａを各設け、その上部の略中央部にそれぞれの両端部が開放した、側面略逆Ｖ状の屋根型に形成された飛散防止板９ｂを設け、さらにその上部に該屋根型に沿って、且つ所定間隔を持って夫々傾斜し、且つその上端部が互違いに交わらないよう段状に設けられ、その交わらない間隔が開口部１０となるように飛散防止板９ｃ、９ｄが設けられ、それぞれが積み重ねたようになる。
【００２０】
また、地雷処理装置１の下側の爆破ドーム５は、図１及び図２に示すように前側下部端を傾斜状に切欠き前面緩衝部１１とし、またゴム板状のスカート部１２を下部内周より下部に突設し、その上部内周面に壁面保護部１３を設け、該壁面保護部１３は、爆破ドーム５の内周壁面に所定間隔を持って金網及び支持棒１４を設け、該所定間隔に砂、小石などの衝撃緩衝部材１５を内有させている。
【００２１】
そして、爆破ドーム５の上部略中央部に防音衝撃緩衝部８を設け、該防音衝撃緩衝部８は、図１及び図２に示すように逆円錐の略漏斗状の容器状で上記壁面保護部１３と略同様に金網及び支持棒１４で防音衝撃緩衝部８を形成し、若干大きめの小石などの衝撃緩衝部材１５を内有させ、爆発の衝撃を減衰させつつ、その爆発の高圧ガスを上部に抜けるように設けられ、また該爆破ドーム５の背面下部近傍に、地雷処理装置１を連結支持する連結支持体２１を設けている。
【００２２】
さらに、爆破ドーム５に内設する地雷爆破装置６は、高強度のワイヤーなどの金網を袋状に形成して収納体１７とし、該収納体１７に小石などを錘部材１８として内有させ、また図３に示す該地雷爆破装置６が、爆破ドーム５のスカート部１２の下端より突出するように、該爆破ドーム５内の左右端に取付支持される支持棒１６、１６で吊設支持されている。なお、収納体１７の錘部材１８を小石などとしているが、特にこだわらず鋼球などとしても良く、また上記衝撃緩衝部材１５の若干大きめの小石なども同様に適宜他の物に変更しても好ましい。
【００２３】
加えて、爆破ドーム５の地雷爆破装置６の後方側に設けられる地面掘削装置７は、図１に示す側面略くさび状に形成した鋼板の掘削刃１９、１９、……を、図２及び図３に示すように、該爆破ドーム５内の左右端で支持される支持棒２０に所定間隔で複数枚配設し、該掘削刃１９、１９、……は、上記地雷爆破装置６と略同様に、爆破ドーム５の下端より突出して配置され、該突出量によって掘削深さが設定される。
【００２４】
しかして、上記ショベルローダー２は一般市販品で、該ショベルローダー２に爆破処理時の運転者の安全対策を目的に、図１及び図４に示すように、左右のドアー２２、２２と天井カバー２３と前面のウインドー２４を新たに付設し、そこでその左右のドアー２２、２２には、ウインドー部２６、２６が設けられ、該ウインドー部２６、２６と前面のウインドー２４及び天井カバー２３の外側にさらに金網等を設け、爆破処理時の飛散物から保護し、通常バケットなどが取り付けられているが取り外し、此処に後述する持上げ装置２８を連結する。
【００２５】
また、図４に示すように、ショベルローダー２の後方に耕うん部３０を連結し、該耕うん部３０は、従来、畑などを耕す時に連結使用されている連結式の耕うん機などで、該耕うん部３０のロータリ作業爪３１にて、掘削刃１９、１９、……による掘削後の耕作地を掘り起こし耕作するものである。
【００２６】
しかして、今、図４に示すように、地雷処理及び耕作による土地改良を同時に進めるとき、ショベルローダー２の後方に耕うん部３０を連結すると共にショベルローダー２の持上げ装置２８によって、地雷処理装置１を所定位置で支持する。
【００２７】
上記のごとく装着され、地雷処理地が比較的大きな石が多く、凹凸が激しい荒れ地の場合、図５に示すように、先ず、地雷処理装置１をショベルローダー２の持上げ装置２８にて、図中矢視方向に上下動させながら前進し、その時、未処理地雷３３が地雷爆破装置６の下にくると、該地雷爆破装置６の小石などの錘部材１８の荷重に未処理地雷３３が反応して爆発し、その爆発による高圧ガス及び粉じんと破片及び小石などは上部及び底部周辺におよび、その底部周辺への威力は、爆破ドーム５のスカート部１２の弾発変形により瞬間排出され、爆発力の分散となり、また該地雷処理装置１の上下動する時の緩衝部材ともなる。
【００２８】
そして、爆発時の上部への衝撃は、地雷爆破装置６が吊設されている事で緩衝部材となり上部への影響が抑制され、また上部の防音衝撃緩衝部８の金網及び支持棒１４及び若干大きめの小石などの衝撃緩衝部材１５を通して抑制されながら上方に抜け、さらに爆破ドーム５内周面への衝撃は、壁面保護部１３の小石などの衝撃緩衝部材１５により保護されると共に衝撃音も抑制される。
【００２９】
そして、衝撃緩衝部材１５を通して上方に抜ける爆発による粉じんを伴う高圧ガスなどは、衝撃緩衝ドーム４内の飛散防止板９ａ、９ｂ、９ｃ、９ｄによってガス圧をさらに弱められ、また破片及び小石など粉じんなども抑制されながら開口部１０より前方方向に排出される。
【００３０】
また、その爆破処理動作である地雷処理装置１の上下動によって、地面掘削装置７のくさび状の掘削刃１９、１９、……が土地の爆破処理と同時に地面を穿つように掘削し、ショベルローダー２の後方に設けられた耕うん部３０の耕作の前処理としての掘削と、また地雷爆破装置６にて爆破が起こらなかった時、再処理としてさらに該掘削刃１９、１９、……にて前記爆破処理の再確認をする。
【００３１】
そして、くさび状の掘削刃１９、１９、……にて土地が掘削されて比較的耕作しやすくなった土地を、さらに耕うん部３０のロータリ作業爪３１にて掘り起こし、耕作しながら地雷地帯を農地として再生処理する。
【００３２】
しかしてまた、地雷処理地の地面が比較的平坦で大きな石も少なく、地雷処理と土地耕作を同時に行う場合、図６に示すように、地面と爆破ドーム５のスカート部１２とが、所定の地雷爆破装置６の荷重が地面に掛る状態で引きずれる位置になるように、地雷処理装置１を持上げ装置２８にて持ち上げ、そしてその状態で図中矢視方向に前進し、未処理地雷３３の上を通過すると、その地雷爆破装置６の荷重で爆破が起き、上述したごとく爆破衝撃が処理され、また爆破処理と同時に地面掘削装置７の掘削刃１９、１９、……で土を掻き分けるように、地面に筋目を付けながら掘削され、さらに耕うん部３０のロータリ作業爪３１にて農地として掘り起こし、耕作しながら地雷地帯を農地として再生処理する。
【００３３】
しかして、地面が比較的平坦で大きな石も少ない土地で、地雷処理が広範囲で遮蔽なしで爆破処理しても安全が確保できる程度の広さのある土地の場合、上述の地雷処理装置１を連結したショベルローダー２を所定間隔で並列して二台並べ、その二台の間に地雷爆破装置６を渡し、並列前進して爆破処理をする。
【００３４】
つまり、それぞれ並列するショベルローダー２、２の地雷処理装置１、１の前部近傍の各間に地雷爆破装置６を掛け渡し、該地雷爆破装置６は上述の物より横幅を長く、例えば１０メートル程度の長さで地面に荷重が掛る状態で柔軟に変形して接地しながら引きずれるように形成して設け、上記並列する二台で前進爆破処理すれば、一度に広範囲の処理ができるが、図示は省略した。
【００３５】
しかして、図７、図８に示すように、他の実施例の地雷爆破装置６ａは、爆破ドーム５内の前後方向の略中間の所定高さに混合物噴射口３４、３４、３４を設け、該混合物噴射口３４、３４、３４は、左右斜め横方向と真下の各角度を持って、図示では三カ所それぞれ設けられ、また該混合物噴射口３４、３４、３４は、誘導管３５により水、砂及び小石等の貯蔵部３６と水又は空気又はその両方の混合物を圧送する噴射装置３７に連結されている。
【００３６】
そして、未処理地雷３３を爆破処理する場合、上記実施例と略同様に、ショベルローダー２の持上げ装置２８によって、地雷爆破装置６ａを有する地雷処理装置１を所定位置に持上げ支持し、その状態でショベルローダー２を前進させながら水又は圧縮空気で砂、小石等の混合物を爆破ドーム５内で地面方向に、図８の混合物噴射口３４、３４、３４から略一点斜線に示すような範囲に噴射し、そのことにより未処理地雷３３に当て爆破させる。
【００３７】
つまり、高圧の混合物を地面に向けて噴射すること、そこに未処理地雷３３が埋設されていると、砂、小石等の混合物が当り、その当たった衝撃により該地雷３３が爆破する。なお、小石だけを噴射するようにしても好ましい。
【００３８】
なお、上記実施例の他、道路など地雷処理のみで耕作を必要としない場所での爆破処理は、地面掘削装置７及び耕うん部３０を設けずに、地雷処理専用として使用すれば良く、適宜その場における状況に対応して使用する。
【００３９】
また、壁面保護部１３の小石などの衝撃緩衝部材１５を、他の緩衝部材、例えばゴム状の板又は古タイヤを加工して壁面内部に設け、またスカート部１２にも該古タイヤを加工してリサイクル使用することで環境にも、そしてコストにも大きく貢献できるが、図示は省略した。
【００４０】
さらに、防音衝撃緩衝部８は処理する地雷によって、つまり対戦車地雷など爆発力の大きいもの又は状況によって、これを設けず飛散防止板９ａ、９ｂ、９ｃ、９ｄのみで対処するようにしても良く、適宜状況に対応させて各構成を変更して使用する。
【００４１】
加えて、掘削刃１９、１９、……のくさび状に形成した板状のものを、棒状のものに変更して掘削しても良く、またその棒状を熊手状に形成し、土地をかくように使用しても良いが、図示は省略した。
【００４２】
【発明の効果】
本発明は、以上説明したような形態で実施され、特に、筒状の爆破ドーム内に少なくとも地雷爆破部を有する地雷爆破装置を所定位置に内設する地雷処理装置をショベルローダーなどの小型特殊車両の持上げ装置で支持すると共に該持上げ装置で上下動及び小型特殊車両の前進移動で未処理地雷を爆破処理し、若しくは該地雷処理装置と爆破ドームの下端より所定量突出するように内設される地面掘削装置で、爆破処理と土地改良を同時進行で行うので、
大型の無限軌道車の重機車両などと比べ一桁も安価なショベルローダーで、運転操作も車並みに簡単でその特性上小回りが利き、その車両輸送コストも簡易で安く、また安全に見落とすことなく大量確実に爆破処理し、且つ地雷の爆破処理が連続処理できることで処理スピードがより速く、市街地などで爆破処理した時も周囲に被害をおよぼさず、地雷処理装置が簡易な構造でメンテナンスも容易で消耗品も少なくコストも低く抑えられ、市街地と農地又は植林地と適宜状況に合わせて爆破処理でき、農地又は植林地の土地改良も地雷処理と同時に行える。
【００４３】
また、地雷爆破装置は、軟質変形可能で爆破に耐える袋状の収納体内に小石などの錘部材を吊設状に内有させ、該地雷爆破装置の先部を爆破ドームの下端より突出させて設けているので、
地雷処理により発生する装置の消耗品が、小石など現地で調達できる物を使用するのでコストが掛らず、その他の消耗部材も一般流通品で比較的安価なものが使用でき、また小石などの錘部材を吊設状に使用しているので、爆発時の上昇圧力が分散され、地雷爆破装置への影響が軽減できる。
【００４４】
さらに、地雷爆破装置は、水又は圧縮空気で砂、小石等の混合物を爆破ドーム内で地面に噴射させることで地雷を爆破できるように、噴射部を爆破ドーム内の所定位置に設けると共に水、砂及び小石等の貯蔵部と水又は空気又はその両方の混合体の噴射装置を爆破ドーム外に設けているので、
地雷処理により発生する装置の消耗品が水、空気、砂、小石等現場で調達できコストが掛からず、爆破処理の直接的影響が地雷爆破装置におよばず、全体のコストが比較的低く抑えられる。
よって、国際的に要求される、最も安全に、早期の地雷処理が行え、簡易な装置と処理などのコストを低くに応えられ、且つ処理装置が容易に扱え、また現地の教育事情及び経済的観点から各国の援助に対する考え方など国際情勢と絡み、進まない地雷処理及び処理技術開発に対して、地雷処理から処理後の農地などへの改良及び早期に自然環境と従前の生活環境の回復まで、全体として捉えるシステムに応えることができ、上述の事から実用上著大なる効果を奏する。
【図面の簡単な説明】
【図１】本発明の実施例の側面図である。
【図２】地雷処理装置１の正面部分断面図である。
【図３】地雷処理装置１の底面図である。
【図４】本発明の実施例の耕うん部３０を取付け使用する状態を示す側面図である。
【図５】地雷処理装置１の実施状態を示す要部の側面断面図である。
【図６】地雷処理装置１の実施状態を示す要部の側面断面図である。
【図７】本発明の他の実施例の要部の部分側面断面図である。
【図８】本発明の他の実施例の要部の部分正面断面図である。
【符号の説明】
１  地雷処理装置
２  ショベルローダー
５  爆破ドーム
６、６ａ  地雷爆破装置
７  地面掘削装置
１７  収納体
１８  錘部材
２８  持上げ装置
３３  未処理地雷
３４  混合物噴射口
３５  誘導管
３６  貯蔵部
３７  噴射装置
【図１】
2004212028.tif 000003
【図２】
2004212028.tif 000004
【図３】
2004212028.tif 000005
【図４】
2004212028.tif 000006
【図５】
2004212028.tif 000007
【図６】
2004212028.tif 000008
【図７】
2004212028.tif 000009
【図８】
2004212028.tif 000010